(57)【要約】【課題】留置針穿刺具において第１規制部及び第２規制部の配置の自由度を高める。【解決手段】留置針穿刺具１は、操作部１３が中間部を支点１３ａとして揺動操作可能であり、該揺動操作に伴う一端部及び他端部の背反方向の変位を利用して第１規制部１１及び第２規制部１２による規制を解除することで、同方向の変位に基づいて第１規制部１１及び第２規制部１２による規制を解除する場合に比べ、第１規制部１１と第２規制部１２とを離間して配置するなど、第１規制部１１及び第２規制部１２の配置の自由度が高められる。【選択図】図１
2018157890.tif 000002
【特許請求の範囲】
【請求項１】
生体組織に穿刺され、かつ生体組織に留置される外針と、
前記外針の基部に連結される外針ハブと、
前記外針の内部に基端側から挿通され、かつ前記外針の前端から突出する先端に鋭利な刃先部を有する内針と、
前記内針の基部に連結される内針ハブと、
前記内針ハブをスライド可能に支持するケースと、
前記内針ハブを前記内針が前記ケース内に引き込まれる方向に付勢する引き込み用バネと、
前記ケースの先端部から前記内針の刃先方向に突出可能に設けられる筒状の突出カバーと、
前記突出カバーを突出方向に付勢する突出用バネと、
前記引き込み用バネによる前記内針の引き込みを規制する第１規制部と、
前記突出用バネによる前記突出カバーの突出を規制する第２規制部と、
所定の操作に応じて、前記第１規制部及び前記第２規制部による規制を解除する操作部と、を備え、前記第１規制部及び前記第２規制部による規制の解除に応じて、前記内針の基端側を前記ケース内に引き込みつつ、前記突出カバーを突出させて前記内針の先端側を覆う留置針穿刺具であって、
前記操作部は、中間部を支点として揺動操作可能であり、該揺動操作に伴う一端部の変位に基づいて前記第１規制部による規制を解除し、かつ、該揺動操作に伴う他端部の変位に基づいて前記第２規制部による規制を解除することを特徴とする留置針穿刺具。
【請求項２】
前記操作部は、前記支点から前記一端部までの距離と、前記支点から前記他端部までの距離と、が相違することを特徴とする請求項１に記載の留置針穿刺具。
【請求項３】
前記第１規制部及び前記第２規制部は、前記操作部と一体に形成されていることを特徴とする請求項１又は２に記載の留置針穿刺具。
【発明の詳細な説明】
【技術分野】
【０００１】
本発明は、生体組織に留置針を穿刺するための留置針穿刺具に関する。
【背景技術】
【０００２】
生体組織に穿刺され、かつ生体組織に留置される外針と、外針の基部に連結される外針ハブと、外針の内部に基端側から挿通され、かつ外針の前端から突出する先端に鋭利な刃先部を有する内針と、内針の基部に連結される内針ハブと、を備える留置針穿刺具が知られている。
【０００３】
例えば、特許文献１に示される留置針穿刺具は、内針ハブをスライド可能に支持するケースと、内針ハブを内針がケース内に引き込まれる方向に付勢する引き込み用バネと、ケースの先端部から内針の刃先方向に突出可能に設けられる筒状の突出カバーと、突出カバーを突出方向に付勢する突出用バネと、引き込み用バネによる内針の引き込みを規制する第１規制部と、突出用バネによる突出カバーの突出を規制する第２規制部と、所定の操作に応じて、第１規制部及び第２規制部による規制を解除する操作部と、を備え、第１規制部及び第２規制部による規制の解除に応じて、内針の基端側をケース内に引き込みつつ、突出カバーを突出させて内針の先端側を覆うように構成されている。このような留置針穿刺具によれば、たとえ長い内針であっても、留置針穿刺作業後に操作部を操作するだけで、内針を突出カバー及びケースで覆い安全に廃棄することが可能になる。
【先行技術文献】
【特許文献】
【０００４】
【特許文献１】特開２００２−１２６０９０公報
【発明の概要】
【発明が解決しようとする課題】
【０００５】
しかしながら、特許文献１に示される留置針穿刺具では、操作部の操作に応じて、第１規制部及び第２規制部を同方向に変位させ、該変位に基づいて第１規制部及び第２規制部による規制を解除するので、第１規制部及び第２規制部の配置の自由度が低いだけでなく、各規制部の規制解除操作ストロークや規制解除操作力を個別に設定することが困難であり、操作性に改善の余地があった。
【課題を解決するための手段】
【０００６】
本発明は、上記の如き実情に鑑みこれらの課題を解決することを目的として創作されたものであって、請求項１の発明は、生体組織に穿刺され、かつ生体組織に留置される外針と、前記外針の基部に連結される外針ハブと、前記外針の内部に基端側から挿通され、かつ前記外針の前端から突出する先端に鋭利な刃先部を有する内針と、前記内針の基部に連結される内針ハブと、前記内針ハブをスライド可能に支持するケースと、前記内針ハブを前記内針が前記ケース内に引き込まれる方向に付勢する引き込み用バネと、前記ケースの先端部から前記内針の刃先方向に突出可能に設けられる筒状の突出カバーと、前記突出カバーを突出方向に付勢する突出用バネと、前記引き込み用バネによる前記内針の引き込みを規制する第１規制部と、前記突出用バネによる前記突出カバーの突出を規制する第２規制部と、所定の操作に応じて、前記第１規制部及び前記第２規制部による規制を解除する操作部と、を備え、前記第１規制部及び前記第２規制部による規制の解除に応じて、前記内針の基端側を前記ケース内に引き込みつつ、前記突出カバーを突出させて前記内針の先端側を覆う留置針穿刺具であって、前記操作部は、中間部を支点として揺動操作可能であり、該揺動操作に伴う一端部の変位に基づいて前記第１規制部による規制を解除し、かつ、該揺動操作に伴う他端部の変位に基づいて前記第２規制部による規制を解除することを特徴とする。
請求項２の発明は、請求項１に記載の留置針穿刺具であって、前記操作部は、前記支点から前記一端部までの距離と、前記支点から前記他端部までの距離と、が相違することを特徴とする。
請求項３の発明は、請求項１又は２に記載の留置針穿刺具であって、前記第１規制部及び前記第２規制部は、前記操作部と一体に形成されていることを特徴とする。
【発明の効果】
【０００７】
請求項１の発明によれば、操作部は、中間部を支点として揺動操作可能であり、該揺動操作に伴う一端部及び他端部の背反方向の変位を利用して第１規制部及び第２規制部による規制を解除するので、同方向の変位に基づいて第１規制部及び第２規制部による規制を解除する場合に比べ、第１規制部と第２規制部とを離間して配置するなど、第１規制部及び第２規制部の配置の自由度を高めることができる。
請求項２の発明によれば、操作部は、支点から一端部までの距離と、支点から他端部までの距離と、が相違するので、各規制部の規制解除操作ストロークや規制解除操作力を個別に設定し、操作性を向上させることができる。
請求項３の発明によれば、第１規制部及び第２規制部は、操作部と一体に形成されているので、部品点数の増加や構造の複雑化も回避できる。
【図面の簡単な説明】
【０００８】
【図１】本発明の実施形態に係る留置針穿刺具の断面図である。
【図２】本発明の実施形態に係る留置針穿刺具の動作説明図であり、留置針穿刺作業前の状態（着脱カバーは取り外し状態）を示す断面図である。
【図３】本発明の実施形態に係る留置針穿刺具の動作説明図であり、留置針穿刺作業後の状態を示す断面図である。
【図４】本発明の実施形態に係る留置針穿刺具の動作説明図であり、操作部を操作した後の状態を示す断面図である。
【発明を実施するための形態】
【０００９】
以下、本発明の実施の形態について、図面に基づいて説明する。図１に示すように、１は留置針穿刺具であって、該留置針穿刺具１は、生体組織に穿刺され、かつ生体組織に留置される外針２と、外針２の基部に連結される外針ハブ３と、外針２の内部に基端側から挿通され、かつ外針２の前端から突出する先端に鋭利な刃先部４ａを有する内針４と、内針４の基部に連結される内針ハブ５と、内針ハブ５を保持する内針ハブ保持部６と、内針ハブ保持部６を介して内針ハブ５をスライド可能に支持するケース７と、内針ハブ保持部６を介して内針ハブ５を内針４がケース７内に引き込まれる方向に付勢する引き込み用バネ８と、ケース７の先端部から内針４の刃先方向に突出可能に設けられる筒状の突出カバー９と、突出カバー９を突出方向に付勢する突出用バネ１０と、引き込み用バネ８による内針４の引き込みを規制する第１規制部１１と、突出用バネ１０による突出カバー９の突出を規制する第２規制部１２と、所定の操作に応じて、第１規制部１１及び第２規制部１２による規制を解除する操作部１３と、未使用時において外針２及び内針４を覆う着脱可能な着脱カバー１４と、を備える。
【００１０】
そして、留置針穿刺具１は、第１規制部１１及び第２規制部１２による規制の解除に応じて、内針４の基端側をケース７内に引き込みつつ、突出カバー９を突出させて内針４の先端側を覆う。これにより、たとえ長い内針４であっても、留置針穿刺作業後に操作部１３を操作するだけで、内針４を突出カバー９及びケース７で覆い安全に廃棄することが可能になる。以下、本実施形態に係る留置針穿刺具１の各部について具体的に説明する。
【００１１】
ケース７は、後端部が閉じられた有底円筒形状を有し、先端部には、オスルアーを構成する中空状の外針ハブ保持部７ａが突出形成されている。内針４は、硬質素材からなる中実針又は中空針であって、ケース７にスライド可能に収容される内針ハブ５から前方に延出するとともに、外針ハブ保持部７ａの中空部を通ってケース７の外部に突出している。外針２は、可撓性を有する中空針であって、その内部に内針４が挿通される。外針２の基端部に連結される外針ハブ３は、メスルアーを構成し、ケース７の外針ハブ保持部７ａに着脱可能に保持される。
【００１２】
ケース７の内部は、隔壁７ｂによって前室７ｃと後室７ｄとに分けられており、内針ハブ５及び内針ハブ保持部６は、後室７ｄに前後スライド可能に収容され、内針４は、隔壁７ｂの中央部に形成される孔７ｅを介して前室７ｃ側に延出している。
【００１３】
引き込み用バネ８は、引っ張りコイルスプリングであり、一端がケース７の底部に連結され、他端が内針ハブ保持部６に連結される状態で後室７ｄに収容されている。第１規制部１１は、後室７ｄの前端位置で内針ハブ保持部６を係止することにより、引き込み用バネ８による内針４の引き込みを規制している。本実施形態の第１規制部１１は、ケース７の外周側から、ケース７の外周部に形成される孔７ｆを介して、内針ハブ保持部６の外周部に形成される係合孔６ａに係合する係合ピンであり、内針ハブ保持部６の係合孔６ａから第１規制部１１を抜くことにより、引き込み用バネ８による内針４の引き込みが許容される。
【００１４】
突出カバー９は、内針４の基端側を覆う状態でケース７の前室７ｃに収容されるとともに、外針ハブ保持部７ａの中空部を介してケース７の前端部から前方に向けて突出可能に設けられている。突出用バネ１０は、圧縮コイルスプリングであり、突出カバー９の後端部に形成されるフランジ９ａと隔壁７ｂとの間に配置されている。第２規制部１２は、突出カバー９の後端部に形成されるフランジ９ａを係止することにより、突出用バネ１０による突出カバー９の突出を規制している。本実施形態の第２規制部１２は、ケース７に対して径方向にスライド可能なプレート部材であり、フランジ９ａの通過を許容するフランジ通過孔１２ａを備える。そして、第２規制部１２は、初期状態において、フランジ通過孔１２ａの縁部でフランジ９ａを係止することにより、突出用バネ１０による突出カバー９の突出を規制する一方、押し込み操作されると、フランジ通過孔１２ａの縁部によるフランジ９ａの係止を解除することで、突出用バネ１０による突出カバー９の突出を許容する。
【００１５】
操作部１３は、中間部を支点１３ａとして揺動操作可能であり、該揺動操作に伴う一端部の変位に基づいて第１規制部１１による規制を解除し、かつ、該揺動操作に伴う他端部の変位に基づいて第２規制部１２による規制を解除するように構成されている。
【００１６】
具体的に説明すると、本実施形態の操作部１３は、ケース７の外周面に前後方向に沿って配置されるとともに、前後方向中間部に設けられる支点１３ａを支点として上下揺動可能に構成されている。初期状態では、操作部１３の前側がケース７の外周面から離間し、且つ操作部１３の後側がケース７の外周面に近接した状態であり、操作部１３の前側をケース７の外周面に近接する方向に押し込むことにより揺動操作される。操作部１３の前端部１３ｂには、第２規制部１２の一端部が一体的に連結されており、操作部１３の操作に伴う前端部１３ｂの押し込み方向の変位に応じて第２規制部１２による突出カバー９の突出規制が解除される。また、操作部１３の後端部１３ｃには、第１規制部１１の一端部が一体的に連結されており、操作部１３の操作に伴う後端部１３ｃの引き抜き方向の変位に応じて第１規制部１１による内針４の引き込み規制が解除される。
【００１７】
操作部１３は、支点１３ａから後端部１３ｃまでの距離Ｌ１と、支点１３ａから前端部１３ｂまでの距離Ｌ２と、が相違している。これにより、各規制部１１、１２の規制解除操作ストロークや規制解除操作力を個別に設定し、操作性を向上させることが可能になる。例えば、本実施形態では、引き込み用バネ８の付勢力を突出用バネ１０の付勢力よりも大きくしているため、第１規制部１１の規制解除操作力が第２規制部１２の規制操作力よりも大きくなるが、距離Ｌ１を距離Ｌ２よりも小さくすることで、梃子の原理に基づいて第１規制部１１の規制解除操作力が軽減されている。
【００１８】
つぎに、留置針穿刺具１の動作（操作手順）について、図２〜図４を参照して説明する。
【００１９】
図２に示すように、留置針穿刺具１を使用する場合は、まず、着脱カバー１４を外す。これにより、外針２及び内針４を生体組織に穿刺し、外針２を生体組織に留置する留置針穿刺作業を行うことが可能になる。
【００２０】
図３に示すように、留置針穿刺作業が終わったら、操作部１３の前側を押し込み操作する。操作部１３の前側を押し込み操作すると、図４に示すように、操作部１３の操作に伴う前端部１３ｂの押し込み方向の変位に応じて第２規制部１２による突出カバー９の突出規制が解除されるとともに、操作部１３の操作に伴う後端部１３ｃの引き抜き方向の変位に応じて第１規制部１１による内針４の引き込み規制が解除される。これにより、内針４の基端側をケース７内に引き込みつつ、突出カバー９を突出させて内針４の先端側を覆うことができ、その結果、たとえ長い内針４であっても、内針４を突出カバー９及びケース７で覆い安全に廃棄することが可能になる。
【００２１】
叙述の如く構成された本実施形態の留置針穿刺具１によれば、操作部１３は、中間部を支点１３ａとして揺動操作可能であり、該揺動操作に伴う一端部及び他端部の背反方向の変位を利用して第１規制部１１及び第２規制部１２による規制を解除するので、同方向の変位に基づいて第１規制部１１及び第２規制部１２による規制を解除する場合に比べ、第１規制部１１と第２規制部１２とを離間して配置するなど、第１規制部１１及び第２規制部１２の配置の自由度を高めることができる。
【００２２】
また、操作部１３は、支点１３ａから後端部１３ｃまでの距離Ｌ１と、支点１３ａから前端部１３ｂまでの距離Ｌ２と、が相違するので、各規制部１１、１２の規制解除操作ストロークや規制解除操作力を個別に設定し、操作性を向上させることができる。
【００２３】
また、第１規制部１１及び第２規制部１２は、操作部１３と一体に形成されているので、部品点数の増加や構造の複雑化も回避できる。
【００２４】
また、本実施形態の留置針穿刺具１によれば、使用時には、外針２及び内針４が露出する長尺状態で良好に留置針穿刺作業を行うことができるだけでなく、使用後においては、内針４の基端側をケース７内に引き込みつつ、突出カバー９を突出させて内針４の先端側を覆うことにより、使用時よりも短尺な状態で安全に廃棄することができる。
【符号の説明】
【００２５】
１  留置針穿刺具
２  外針
３  外針ハブ
４  内針
４ａ  刃先部
５  内針ハブ
６  内針ハブ保持部
６ａ  係合孔
７  ケース
７ａ  外針ハブ保持部
７ｂ  隔壁
７ｃ  前室
７ｄ  後室
７ｅ  孔
７ｆ  孔
８  引き込み用バネ
９  突出カバー
９ａ  フランジ
１０  突出用バネ
１１  第１規制部
１２  第２規制部
１２ａ  フランジ通過孔
１３  操作部
１３ａ  支点
１３ｂ  前端部
１３ｃ  後端部
１４  着脱カバー
Ｌ１、Ｌ２  距離
【図１】
2018157890.tif 000003
【図２】
2018157890.tif 000004
【図３】
2018157890.tif 000005
【図４】
2018157890.tif 000006